(57)【特許請求の範囲】
【請求項１】
弾性のあるケージの取り付けられた接続端子を有する電気コネクタであって、
一端に近接して弾性ケージが設けられる導体支持部（１２）と、
前記導体支持部（１２）に固定される取付翼部（１３ａ）と、スプリングを形成するループ部（１３ｃ）で前記取付翼部（１３ａ）に連結される把持部（１３ｂ）と、挿入された導体（Ｃ）を把持する窓部（１３ｄ）と、を形成する弾性ケージ（１３）と、を有し、
前記導体支持部（１２）は、コア部（１２ｂ）と、開口部（１２ｄ）を有し、主導体（１４）の一部として組立られるようなっており、前記主導体（１４）は、前記開口部（１２ｄ）と同軸のねじ孔連結片（１４ａ）を有し、ねじ（１５）が開口部（１２ｄ）に挿入され、ねじ孔（１４ｂ）にねじ込まれて支持部（１２）を主導体（１４）に固定するようにし、
前記導体支持部（１２）は、Ｕ字形を呈し、コア部（１２ｂ）の両側には、弾性ケージ（１３）が前記取付翼部（１３ａ）で取付られる第１の翼部（１２ａ）と、工具（Ｂ）、プラグ（Ｄ）をガイドする第２の翼部（１２ｃ）を有し、前記ループ部（１３ｃ）と第２翼部（１２ｃ）の間にプラグ（Ｄ）を挿入できるようにしたことを特徴とする電気コネクタ。
【請求項２】
ねじ（１５）は、前記支持部（１２）に対するねじのゆるみ止め手段を有することを特徴とする請求項１に記載の電気コネクタ。
【請求項３】
ねじ（１５）は、主導体（１４）に対するねじのゆるみ止め手段を有することを特徴とする請求項１に記載の電気コネクタ。
【請求項４】
支持部（１２）と主導体（１４）には、支持部の回りとめ手段（１２ｈ，１４ｃ）が設けられていることを特徴とする請求項１に記載の電気コネクタ。
【請求項５】
前記支持部（１２）の第１翼部（１２ａ）は、ねじ（１５）を装着する前は、撓めるようになっており、弾性ケージ（１３）が装着するときにはコア部（１２ｂ）に直角に折り曲げてねじ（１５）を配置できるようにしたことを特徴とする請求項１に記載の電気コネクタ。
【請求項６】
すくなくとも補強用の腕部（１２ｆ）が一の翼部（１２ａ、１２ｃ）から幅方向に他の翼部に向かって延び、他の翼部に部材（１２ｇ，１２ｋ，１６ａ）を介して係合するようにしたことを特徴とする請求項１に記載の電気コネクタ。
【請求項７】
補強用の腕部（１２ｆ）他の翼部に自動的に係合しロックするようにしたことを特徴とする請求項６に記載の電気コネクタ。
【請求項８】
前記支持部（１２）は、Ｕ字形を呈し、コア部（１２ａ）の両側には、第１の翼部（１２ａ）と第２の翼部（１２ｃ）が形成されており、さらに、支持部（１２）は、弾性ケージ（１３）を翼部に対して平行に密着して収容可能であるとともに、両翼部（１２ａ、１２ｃ）を連結する補強アーム（１２ｆ、１６）を有し、ケージのループ部（１３ｃ）と第２翼部（１２ｃ）との間には、プラグ（Ｄ）を収容するのに十分な距離を有することを特徴とする請求項１に記載の電気コネクタ。
【発明の詳細な説明】
【０００１】
【発明の属する技術分野】
本発明は、電気コネクタに係り、特に、接続導体を受容する弾性ケージを有する電気コネクタに関する。
【０００２】
【従来の技術】
この種の電気コネクタの端子に用いられる弾性ケージは、支持部に取着される翼部と、ケーブルなどが接続される導体を把持する翼部を有してある。この把持部は、スプリング形のループ部を介して保持翼部につながっている。弾性ケージは、導体が挿入される窓部を有している。
【０００３】
【発明が解決しようとする課題】
電気器具によっては、接続端子のタイプを選択できることが好ましい。つまり、器具の接続片を変えることなく、ねじ固定式の端子や、はめ込み式の端子などいずれも用いることができることが好ましい。
【０００４】
そこで、本発明の目的は、上記の要求に合致する電気コネクタを提供することにある。
【０００５】
【課題を解決するための手段】
前記の目的を達成するために、本発明は、弾性のあるケージの取り付けられた接続端子を有する電気コネクタであって、一端に近接して弾性ケージが設けられる導体支持部（１２）と、前記導体支持部（１２）に固定される取付翼部（１３ａ）と、スプリングを形成するループ部（１３ｃ）で前記取付翼部（１３ａ）に連結される把持部（１３ｂ）と、挿入された導体（Ｃ）を把持する窓部（１３ｄ）と、を形成する弾性ケージ（１３）と、を有し、前記導体支持部（１２）は、コア部（１２ｂ）と、開口部（１２ｄ）を有し、主導体（１４）の一部として組立られるようなっており、前記主導体（１４）は、前記開口部（１２ｄ）と同軸のねじ孔連結片（１４ａ）を有し、ねじ（１５）が開口部（１２ｄ）に挿入され、ねじ孔（１４ｂ）にねじ込まれて支持部（１２）を主導体（１４）に固定するようにし、前記導体支持部（１２）は、Ｕ字形を呈し、コア部（１２ｂ）の両側には、弾性ケージ（１３）が前記取付翼部（１３ａ）で取付られる第１の翼部（１２ａ）と、工具（Ｂ）、プラグ（Ｄ）をガイドする第２の翼部（１２ｃ）を有し、前記ループ部（１３ｃ）と第２翼部（１２ｃ）の間にプラグ（Ｄ）を挿入できるようにしたことを特徴とするものである。
【０００６】
好ましくは、ねじは、前記支持部に対するねじのゆるみ止め手段を有し、また、ねじは、主導体に対するねじのゆるみ止め手段を有する。  また、支持部と主導体には、支持部の回りとめ手段が設けられる。
【０００８】
前記支持部の第１翼部は、ねじを装着する前は、撓めるようになっており、弾性ケージが装着するときにはコア部に直角に折り曲げてねじを配置できるようにしたことを特徴とする。
【０００９】
また、すくなくとも補強用の腕部が一の翼部から幅方向に他の翼部に向かって延び、他の翼部に部材を介して係合するようにしたことを特徴とする。
【００１０】
補強用の腕部は他の翼部に自動的に係合しロックするようにすることができる。
【００１１】
また、前記支持部は、Ｕ字形を呈し、コア部の両側には、第１の翼部と第２の翼部が形成されており、さらに、支持部は、弾性ケージを翼部に対して平行に密着して収容可能であるとともに、両翼部を連結する補強アームを有し、ケージのループ部と第２翼部との間には、プラグを収容するのに十分な距離を有する。
【００１２】
【発明の実施の形態】
以下、本発明の一実施形態について添付の図面を参照して説明する。
図１に示す本発明による電気器具は、絶縁材料１０からなるケーシングと、このケーシングの一部によって保護されるケージをもったいくつか端子Ａと、カバー部材１１を有している
前記端子Ａは、導体支持部１２を有しており、その翼部１２ａには、スプリングケージ１３が設けられている。このスプリングケージ１３は、前記支持部の翼部１２ａに固定される取付翼部１３ａと、把持部１３ｂと、ループ部１３ｃとからなり、前記把持部１３ｂは、スプリングを構成し、把持窓部１３ｄを含むループ部１３ｃによって取付翼部１３ａに連結されている。把持窓部１３ｄには、取付翼部１３ａの端部が挿入されて係合するようになっている。把持窓部１３ｄは、取付翼部１３ａと反対側の翼部１２ａの側面に対して押し付けられるエッジ部１３ｅを有している。把持窓部１３ｄは、エッジ部１３ｅと翼部１３ａの間にあるすくなくとも一つの導体Ｃをグリップするのに用いられる。翼部１２ａは、湾曲あるには中高の端部１２ｅをもっており、この端部１２ｅは、スプリンクケージの窓部１３ｄへの挿入を容易にする。
【００１３】
導体支持部材１２は、Ｕ字形を呈しており、上記の翼部１２ａとコア部１２ｂと、別の翼部１２Ｃとからなっている。この導体支持部材１２は、そのコア部１２ｂで主導体部１４の取付片１４ａに取付られる。この取付は、頭部１５ａとねじ軸部１５ｂからなるねじ１５を用いて行われる。頭部１５ａは、図１、図２に示すように皿形か、図３に示すように平形になっている。このネジ１５の頭部１５ａは、コア部１２ｂに形成された開口部１２ｄの周縁部に押し付け、ネジ軸部１５ｂは、連結片１４ａに設けられたネジ孔１４ｅに挿入される。このネジ孔１４ｅとねじ１５は、弾性端子を通常のネジグリップ導体を有する端子に交換できるようになっている。頭部１５ａは、コア部１２ｂの長さの大部分を占め、これにより、ネジの高さおよび弾性ケージ１３に必要なスペースが最小になるようになっている。
【００１４】
ねじ１５は、導体支持部材１２に対して緩み止め手段を用いて固定される。この緩み止め手段は、頭部１５ａの下側側面に形成されたノッチあるいは溝１５ｃからなる（図２参照）。あるいは、緩み止め手段としては、図３に示すように、特別のブレーキングねじ１５ｄが頭部の回りおよびその直下に設けられる。
【００１５】
ねじを導体支持部材１２に締結するのに役立つ手段には、コーティングや接着材がある。翼部１２ｃは、翼部１２ａと平行にあるにはわずかに傾斜して延びている。翼部１２ｃは、窓部１３ｄの開口部をクリアするためにループ部１３ｃを撓ませ、連結プラグＤの通路を形成するときに用いる工具Ｂのガイドアームをなす。翼部１２ａは、曲面の端部１２ｊを有している（図５参照）。
【００１６】
端子の組立を容易にし、また、小型化するために、Ｕ字形の支持部１２は、初期状態では、図２に示す形を有している。ねじ１５を開口部１２ｄに挿入できるように、例えば４５度に翼部１２ａを開くと、ねじ１５をねじこむことができる。ねじ１５を開口部にねじ込む前は、スプリングケージ１３の取り付けてある翼部１２ａは開いたままになっている。そして、ねじ孔１４ｂにねじ１５をねじ込でから、翼部１２ａは、コア部１２と直角に折曲される。このようにして図に示すように、両翼部１２ａと１２ｃの間の距離が小さくなる。
【００１７】
支持部１２は、図３、図４に示すように、腕部１２ｆを有している。この腕部１２ｆは、翼部１２ｃ横方向に延びている。これらの腕部１２ｆにはフランジ部１２ｇが設けられ、このフランジ部１２ｇは、翼部の背面で折り返され、これにより、工具ＢやプラグＤを用いるときの翼部１２ｃの変形を防止している。支持部１２は、コア部１２ｂと対向するように、導体Ｃ、プラグＤや工具Ｂがカバー１１の開口部１１ｃ、１１ｂを介して挿入できるように広く開口した状態を維持する。
【００１８】
回り止め手段が設けられ、支持部１２が主導体１４に対して回るのを防止する。この回り止め手段は、主導体１４に設けられたストッパ部１４ｃからなり、支持部１２に形成された刻み目１２ｉあるいは、折り曲げられたブラケット１２ｉにストッパ部１４ｃが係合する。支持部１２は、展開した状態では、図４に示されるような板片である。
【００１９】
図５は、本発明を二重端子に適用した実施形態を示す。スプリングケージ１３は、支持部１２に密着させて収容される。ブリッジ形の堅腕１６の一端部は翼部１２ｃにあって、他端の肩部１６ａは翼部１２ａ側に掛け渡されて、これにより、支持部１２と端子全体としての剛性を高めている。ここで、スプリングケージ１３のループ部１３ｃと翼部１２ｃの間距離ｂは、連結プラグＤを収容するのに十分な距離になっており、このようなレイアウトにより、電力が入力するプラグＤと出力のケーブルＣを取り付けるのに必要なスペースを小さくできる。
【００２０】
図６は、支持部１２の他の変形例を示す。弾性のある２つのケージが図５のように密着して収容されるが、ケージは１つでもよい。二つの腕部１２ｆは、支持部が矢印Ｆ１で示すように閉じたときにケージを固定できるように翼部１２ｃからケージの幅方向に対向する翼部１２ａに向かって延びている。
【００２１】
それぞれの腕部１２ｆは、ノッチ１２ｋ（あるいはピン）を自由端部に有しており、組み立てるときに（矢印Ｆ２）これは翼部１２ａの側面に形成されたノッチ１２ｌ（あるいはピン）に係合するようになっている。そして、一度係合しあうと支持部１２を開こうとしても外れないようになっている。すなわち、翼部１２ａが開いた位置にあるときには、アーム１２ｆの先端は、翼部１２ａから離れており、ケージを装着することができる。翼部１２ａを折り曲げて、閉じるときには、腕部のノッチ１２ｋは、ノッチ１２ｌに係合してケージをロックする。
【図面の簡単な説明】
【図１】本発明による一実施形態の断面図。
【図２】組立中の電気コネクタの側面図。
【図３】補強アームを設けた変形例の側面図。
【図４】支持部を形成するブランクの展開図。
【図５】他の実施形態を示す斜視図。
【図６】他の変形例を示す斜視図。
【符号の説明】
１０  ケーシング
１１  カバー
１２  導体支持部
１３  弾性ケージ
Ｂ  工具
Ｃ  プラグ
【図１】
0004124865.tif 000002
【図２】
0004124865.tif 000003
【図３】
0004124865.tif 000004
【図４】
0004124865.tif 000005
【図５】
0004124865.tif 000006
【図６】
0004124865.tif 000007